(57)【特許請求の範囲】
【請求項１】
少なくとも、芳香性チップが収納される底面部と、該底面部の外縁で前記底面部から立ち上がった位置に形成された支持部とからなる凹部状の収納部が、外面側に形成された本体と、
前記底面部に前記芳香性チップを着脱可能に収納し、前記支持部に支持されて取り付けられて前記収納部を閉じ、且つ前記芳香性チップを前記底面部内に保持する蓋部と、
を備え、
前記収納部の前記底面部に凹部が形成されたことを特徴とする、芳香発散装置。
【請求項２】
前記底面部には複数の前記凹部が形成されていることを特徴とする、請求項１に記載の芳香発散装置。
【請求項３】
少なくとも芳香性チップが収納される収納部を備えた本体と、
前記収納部に前記芳香性チップを着脱可能に収納し、前記収納部を閉じる蓋部と、
電池パックを収納する電池パック収納部を備える筐体と、
を備え、
前記収納部の底面に複数の凹部が形成され、前記本体は、前記収納部の背面側に突部を有し、前記突部は前記電池パック収納部を防水する電池カバーに接していることを特徴とする、芳香発散装置。
【請求項４】
前記蓋部は、芳香を発散させる単一又は複数の発散孔を備え、
前記発散孔は、前記凹部の上部に配置されていることを特徴とする、請求項２または３に記載の芳香発散装置。
【発明の詳細な説明】
【技術分野】
【０００１】
本発明は、携帯電話機等の機器から香りを発散させる装置に関し、例えば、フレグランスチップを備えた芳香発散装置に関する。
【背景技術】
【０００２】
携帯電話機やカメラ等、機器では芳香剤を備えて香りの発散機能が付与されたものが知られている。
【０００３】
この香り発散機能に関し、アンテナ組立体に芳香剤が設置され、アンテナ組立体に設けた芳香発散口から芳香を発散させるものが知られている（例えば、特許文献１）。
【０００４】
また、携帯端末機器に芳香剤設置用スペースが備えられ、この芳香剤設置用スペースに設置された芳香剤から芳香を発散させることが知られている（例えば、特許文献２）。
【先行技術文献】
【特許文献】
【０００５】
【特許文献１】特開２００２−７６７３４号公報
【特許文献２】特開２００４−２５４０２６号公報
【発明の概要】
【発明が解決しようとする課題】
【０００６】
ところで、機器内に専用の芳香剤を装填したり、その装填に専用のアタッチメントを用いる場合には、香りの交換に制約がある。また、芳香剤の格納部分が密閉されていると、香りを交換する際に交換前の香りを充分に除去できないという課題がある。
【０００７】
そこで、本開示の芳香発散装置は、香りの交換性や選択性を高めることにある。
【課題を解決するための手段】
【０００８】
上記課題を解決するため、本開示の芳香発散装置は、本体と、蓋部とを備える。前記本体は、少なくとも、芳香性チップが収納される底面部と、該底面部の外縁で前記底面部から立ち上がった位置に形成された支持部とからなる凹部状の収納部を備えている。前記蓋部は、前記底面部に前記芳香性チップを着脱可能に収納し、前記支持部に支持されて取り付けられて前記収納部を閉じ、且つ前記芳香性チップを前記底面部内に保持する。そして、前記収納部の前記底面部に凹部が形成されている。
【発明の効果】
【０００９】
本開示の芳香発散装置によれば、次のような効果が得られる。
【００１０】
(1) 芳香性チップを備える筐体から所望の芳香を発散させることができる。
【００１１】
(2) 芳香性チップを備えた蓋部の交換、蓋部の芳香性チップの交換、又は芳香性チップの芳香剤の交換の何れかにより、香りを容易に選択することができる。
【００１２】
そして、本発明の他の目的、特徴及び利点は、添付図面及び各実施の形態を参照することにより、一層明確になるであろう。
【図面の簡単な説明】
【００１３】
【図１】第１の実施の形態に係る芳香発散装置の一例を示す図である。
【図２】第２の実施の形態に係る背面側から見た携帯電話機を示す図である。
【図３】リアカバーを外した状態の携帯電話機を示す斜視図である。
【図４】リアカバーを示す斜視図である。
【図５】電池パックの着脱を示す斜視図である。
【図６】リアカバーの収納部を示す斜視図である。
【図７】図６のVII −VII 線断面図である。
【図８】図６のVIII−VIII線断面図である。
【図９】背面側から見たリアカバーを示す図である。
【図１０】フレグランスキャップを示す斜視図である。
【図１１】背面側から見たキャップを示す斜視図である。
【図１２】フレグランスチップを外して背面側から見たキャップを示す斜視図である。
【図１３】図１２のXIII−XIII線断面図である。
【図１４】図１２のXIV −XIV 線断面図である。
【図１５】フレグランスチップを示す斜視図である。
【図１６】図１５のXVI −XVI 線断面図である。
【図１７】図１５のXVII−XVII線断面図である。
【図１８】図２のXVIII −XVIII 線断面図である。
【図１９】図２のXIX −XIX 線断面図である。
【図２０】図１８のフレグランスチップ保持部分の拡大断面図である。
【図２１】図１９のフレグランスチップ保持部分の拡大断面図である。
【図２２】キャップの取外しを示す図である。
【図２３】フレグランスチップへのフレグランスの含浸例を示す図である。
【図２４】フレグランスチップへのフレグランスの他の含浸例を示す図である。
【図２５】製造工程を示すフローチャートである。
【図２６】リアカバーの交換を示す図である。
【図２７】チップの洗浄を示す図である。
【図２８】キャップ上のチップの洗浄を示す図である。
【図２９】第３の実施の形態に係る背面側から見た携帯電話機を示す図である。
【図３０】図２９のXXX −XXX 線断面図である。
【図３１】図２９のXXXI−XXXI線断面図である。
【図３２】収納部の変形例を示す図である。
【図３３】収納部の他の変形例を示す図である。
【図３４】他の実施の形態に係るＰＣを示す図である。
【図３５】ＰＣのリアカバーの交換を示す図である。
【図３６】他の実施の形態に係るＰＤＡを示す図である。
【発明を実施するための形態】
【００１４】
〔第１の実施の形態〕
【００１５】
第１の実施の形態は、芳香発散装置であって、筐体には少なくとも芳香性チップが収納される収納部が備えられているとともに、この収納部を閉じる蓋部が着脱可能に取付られている。そして、蓋部には前記芳香性チップが備えられている。
【００１６】
この第１の実施の形態について、図１を参照する。図１は、その芳香発散装置の一例を示す断面図である。図１に示す構成は一例であって、斯かる構成に本発明が限定されるものではない。
【００１７】
この芳香発散ユニット２は、本開示の芳香発散装置の一例であって、図１に示すように、機器４に設置されている。この機器４は例えば、携帯電話機等の携帯端末装置、ディジタルカメラ等である。
【００１８】
この機器４の筐体６にはカバー部材８と、機器本体９とが備えられている。カバー部材８の外面部には凹部１２が形成され、この凹部１２は、少なくともフレグランスチップ（以下「チップ」と称する）１４を収納する収納部の一例である。チップ１４は、芳香性チップの一例であって、チップ部材に芳香性剤を含浸させたものである。芳香性剤は、フレグランス、パフューム、オーデコロン、オードトワレの何れでもよく、また、消臭剤であってもよい。
【００１９】
この場合、凹部１２には着脱可能に蓋部１６が設置され、この蓋部１６の内面側にはチップ１４が着脱可能に備えられている。このチップ１４は、蓋部１６に設けた複数の保持部１８により、蓋部１６の内面側に保持されている。この蓋部１６のチップ１４の保持部分には、単一又は複数の発散孔２０が形成されている。
【００２０】
機器本体９には、部品１０を収納するケース部２２が形成され、このケース部２２は、機器本体９内に形成され、カバー部材８の内側に設置された内カバー２４によって開閉される。この内カバー２４は、機器本体９に開閉可能にヒンジ部２６により取り付けられている。内カバー２４とケース部２２との間にはパッキン２８を介在させ、ケース部２２の防水構造を構成している。ヒンジ部２６は、内カバー２４を開閉する開閉機構の一例である。なお、内カバー２４の開閉（着脱）には固定手段であるねじを用いてもよい。
【００２１】
そして、カバー部材８の内面側には突部３０が備えられ、この突部３０が内カバー２４に接している。即ち、機器本体９に取り付けられたカバー部材８により、内カバー２４が押圧状態となり、既述の防水構造が維持される。この実施の形態の場合、この突部３０はカバー部材８の外面側に凹部１２を設けるために形成されている。即ち、突部３０と凹部１２とはカバー部材８の肉厚部分を挟んで表裏の関係である。
【００２２】
斯かる構成によれば、チップ１４に含浸させたフレグランスが気化し、蓋部１６にある発散孔２０から発散し、その香りを漂わせることができる。
【００２３】
部品１０が例えば、電池パック等の発熱部品であれば、その熱が内カバー２４からカバー部材８に伝達し、その熱でフレグランスの気化を促進させることができる。
【００２４】
また、チップ１４は、チップ部材にフレグランスを含浸させたものであるから、チップ部材の洗浄により、異なるフレグランスに交換することができ、異なる香りを発散させることができる。この場合、異なるチップ１４を備えたカバー部材８の交換、異なるチップ１４を備えた蓋部１６の交換、又は、異なるフレグランスを含浸させたチップ１４の交換により、異なる香りを選択し、所望の香りを発散させることができる。
【００２５】
また、チップ１４及び蓋部１６は機器４のカバー部材８の外部に設置されている。機器４の防水構造外即ち、防水エリア外にチップ１４が設置されているので、フレグランスが機器４の防水構造内に浸透するという不都合はない。
【００２６】
〔第２の実施の形態〕
【００２７】
第２の実施の形態は、芳香発散装置（芳香発散ユニット２）の一例である携帯電話機である。この携帯電話機は、筐体に少なくとも芳香性チップが収納される収納部とともに、この収納部を閉じる蓋部を着脱可能に備える。蓋部には前記芳香性チップが着脱可能に保持されている。
【００２８】
この第２の実施の形態について、図２、図３、図４及び図５を参照する。図２は、第２の実施の形態に係る背面側から見た携帯電話機を示す図、図３は、リアカバーを外した状態の携帯電話機を示す斜視図、図４は、リアカバーを示す斜視図、図５は、電池パックの着脱を示す斜視図である。図２ないし図５に示す構成は一例であって、斯かる構成に本発明が限定されるものではない。
【００２９】
携帯電話機３２は、本開示の芳香発散装置の一例である。この携帯電話機３２は、携行される携帯機器の一例であって、図２、図３及び図４に示すように、第１の筐体部３４と、第２の筐体部３６とを備える。これら筐体部３４と筐体部３６とはヒンジ部３８で連結され、折畳み又は開閉可能である。筐体部３４は、既述の機器本体９（図１）に相当する部材であって、この実施の形態では、前面側に複数のキーボードを備えるキーボード側筐体部である。また、筐体部３６は、前面側に表示部を備える表示側筐体部である。
【００３０】
筐体部３４の背面側にはリアカバー４０が着脱可能に取り付けられている。このリアカバー４０は、背面部材の一例であって、筐体部３４に内蔵される電池パック４２（図５）の着脱のための筐体部３４の開閉手段であり、既述のカバー部材８（図１）に相当する。このリアカバー４０は、合成樹脂材料や金属材料で形成すればよい。リアカバー４０には、筐体部３４に固定後、その固定をロック状態に維持するためのロック機構４４が取り付けられている。
【００３１】
筐体部３４には、リアカバー４０と係合させるための係合突部４６が形成され、リアカバー４０には、この係合突部４６に係合させる係合凹部４８が形成され、係合突部４６と係合凹部４８とが噛み合わされて係合される。図３に示すように、係合凹部４８の両側には一対の係合手段として挿入係止部５０が形成され、各挿入係止部５０には筐体部３４の縁部が挿入され、係合される。このような筐体部３４とリアカバー４０との係合構造により、リアカバー４０が筐体部３４に着脱可能に取り付けられる。そして、筐体部３４には既述のロック機構４４と係合する溝部５２が形成されている。この溝部５２にロック機構４４の爪部が噛み合い、筐体部３４とリアカバー４０との係合がロック状態に保持される。これにより、リアカバー４０が筐体部３４から容易に離脱することが防止されている。
【００３２】
リアカバー４０の外面中央部にはフレグランス収納部（以下「収納部」と称する）５４が形成され、この収納部５４はフレグランスキャップ（以下「キャップ」と称する）５６により閉じられ、図４に示すように、キャップ５６は開閉可能である。収納部５４は、既述の凹部１２（図１）に対応し、少なくともチップ１４を収納可能な空間部を構成している。キャップ５６は、既述の蓋部１６（図１）に対応する部材である。このキャップ５６には単一又は複数の発散孔５８が形成され、この発散孔５８は、収納部５４に収納されたチップ１４の芳香を発散させる手段である。収納部５４とキャップ５６との間には間隙６０が形成され、この間隙６０は凹部の一例であって、収納部５４からキャップ５６を取り外すために利用される。この間隙６０の幅ｄは例えば、コインや人の爪が入る程度とすればよい。
【００３３】
このようなリアカバー４０を備える筐体部３４には、図５に示すように、リアカバー４０の内側に電池カバー６２がヒンジ部６４によって開閉可能に取り付けられ、この電池カバー６２は、既述の内カバー２４（図１）に対応する。この電池カバー６２は、電池ケース６６を開閉する手段であって、例えば、金属板で形成される。電池ケース６６は、電池パック４２を収納する手段である。この電池カバー６２には、電池ケース６６の縁部形状に対応する環状の防水パッキン６８が設置されている。この防水パッキン６８は、電池カバー６２と電池ケース６６とを密封する手段であって、電池カバー６２及び電池ケース６６によって防水構造を構成する。
【００３４】
〔フレグランス収納部５４及びリアカバー４０の背面部〕
【００３５】
次に、収納部５４及びリアカバー４０の背面部について、図６、図７、図８及び図９を参照する。図６は、リアカバーの収納部を示す斜視図、図７は、図６のVII −VII 線断面図、図８は、図６のVIII−VIII線断面図、図９は、背面側から見たリアカバーを示す図である。図６ないし図９に示す構成は一例であって、斯かる構成に本発明が限定されるものではない。図６ないし図９において、図２〜図５と同一部分には同一符号を付してある。
【００３６】
収納部５４の内部には、図６、図７及び図８に示すように、キャップ５６を着脱可能に取り付ける第１及び第２の係合固定部７０、７２とともに、キャップ５６を支持する支持部７４が形成されている。各係合固定部７０、７２は、収納部５４の内壁面（又は底面）７６から突出した例えば、Ｃ字形状であって、凹部７８を備える。凹部７８は例えば、角筒状であって、収納部５４の横幅Ｗ1 より小さい幅ａであり、高さｂを備えている。この実施の形態では、収納部５４の縦幅Ｌ1 は、横幅Ｗ1 より大きく設定されている（Ｌ1 ＞Ｗ1 ）。この場合、Ｌ1 ＝Ｗ1 でもよいし、Ｌ1 ＜Ｗ1 でもよい。
【００３７】
支持部７４は、リアカバー４０の厚さ方向の落ち込みを防止する手段であって、係合固定部７０、７２と直交方向に形成され、リアカバー４０の外面と同一面又は平行面にキャップ５６を支持する。
【００３８】
このような収納部５４を備えたリアカバー４０の背面側には、図９に示すように、収納部５４の形成のため、突部８０が形成されている。また、リアカバー４０の背面には複数のリブ８２が形成され、このリブ８２でリアカバー４０が補強されている。
【００３９】
〔フレグランスキャップ５６〕
【００４０】
キャップ５６について、図１０、図１１、図１２、図１３及び図１４を参照する。図１０は、キャップを示す斜視図、図１１は、背面側から見たキャップを示す斜視図、図１２は、フレグランスチップを外して背面側から見たキャップを示す斜視図、図１３は、図１２のXIII−XIII線断面図、図１４は、図１２のXIV −XIV 線断面図である。図１０ないし図１４に示す構成は一例であって、斯かる構成に本発明が限定されるものではない。図１０ないし図１４において、図２と同一部分には同一符号を付してある。
【００４１】
キャップ５６は、収納部５４を閉じる閉塞手段であるとともに、チップ１４を保持するための保持手段である。このキャップ５６は、リアカバー４０と同様に合成樹脂材料や金属材料で形成すればよい。この実施の形態のキャップ５６は、横幅Ｗ2 、縦幅Ｌ2 とすれば、収納部５４の横幅Ｗ1 、縦幅Ｌ1 に対し、Ｗ1 ＞Ｗ2 、Ｌ1 ＞Ｌ2 ＋ｄ（間隙６０）である。即ち、収納部５４の形状又は大きさ（図６）と、着脱されるキャップ５６の形状又は大きさ（図１０）とのクリアランス幅ｗ（＝Ｗ1 −Ｗ2 ）は、キャップ５６が収納部５４に着脱可能な大きさとすればよい。
【００４２】
キャップ５６の表面には、図１０に示すように、凹凸面８４が規則的又は不規則的に形成されている。この凹凸面８４を形成すれば、キャップ５６の表面積を拡大することができ、この拡面化がキャップ５６の背面側に設置されるチップ１４の昇温に寄与し、芳香の発散を促進させることができる。また、発散孔５８が凹凸面８４によってカムフラージュされる機能もある。この実施の形態では、凹凸面８４をダイヤカット状にすることで、菱形状の発散孔５８が隠蔽されている。
【００４３】
このキャップ５６の背面側には、図１１、図１２、図１３及び図１４に示すように、第１及び第２のチップ固定部８６、８８と、第１及び第２の係合突部９０、９２とが備えられている。各係合突部９０、９２とキャップ５６の本体部９３との間には、係合凹部９５が形成されている。各係合凹部９５は、収納部５４の係合固定部７０、７２の係合突部９７（図２０）を係合させるための手段であって、両者の係合によってキャップ５６が収納部５４に着脱可能に取り付けられる。
【００４４】
各チップ固定部８６、８８は、チップ１４を位置決めして固定する手段の一例であって、チップ１４の幅方向即ち、両側部に設置されている。各チップ固定部８６、８８は、立壁部９４を挟んで一対の保持部９６Ａ、９６Ｂが形成されているとともに、各立壁部９４の対向面部に位置決め突部９８が形成されている。一方の位置決め突部９８は保持部９６Ｂ側にあり、また、他方の位置決め突部９８は保持部９６Ａ側にあり、互いに線対称の関係である。保持部９６Ａ、９６Ｂは、チップ１４の保持手段の一例であり、キャップ５６の背面側との間に挟んで保持する。
【００４５】
係合突部９０は収納部５４の係合固定部７０の凹部７８（図２０）に挿入されて固定され、係合突部９２は収納部５４の係合固定部７２の凹部７８（図２０）に挿入されて固定される。各係合突部９０、９２は、チップ１４を挟む位置に、各チップ固定部８６、８８と直交方向に設置されている。そこで、各係合突部９０、９２の背面側には、チップ１４を支持する複数の支持突部１００が備えられている。
【００４６】
また、キャップ５６の背面側には、左右の保持部９６Ａ、９６Ｂに隣接して突部１０２が発散孔５８の形成エリアを避けて形成されている。各突部１０２の間隔内には凹部１０３が形成され、この凹部１０３が発散孔５８の形成エリアに設定されている。これら突部１０２及び凹部１０３は、チップ１４とキャップ５６との間に空間部１０５（図２０、図２１）を形成するための手段であって、空間部１０５に滞留又は対流する空気が発散孔５８に通じる。
【００４７】
〔フレグランスチップ１４〕
【００４８】
チップ１４について、図１５、図１６及び図１７を参照する。図１５は、フレグランスチップを示す斜視図、図１６は、図１５のXVI −XVI 線断面図、図１７は、図１５のXVII−XVII線断面図である。図１５ないし図１７に示す構成は一例であって、斯かる構成に本発明が限定されるものではない。
【００４９】
チップ１４は、図１５に示すように、チップ部材１０４にフレグランス１０６（図２３又は図２４）を含浸させたものである。チップ部材１０４は、横幅Ｗ3 、縦幅Ｌ3 を備えた長方形状であって、横幅Ｗ3 はキャップ５６のチップ固定部８６、８８の固定間隔より僅かに小さく、縦幅Ｌ3 は、キャップ５６の係合突部９０、９２の支持間隔より僅かに小さい形状である。
【００５０】
チップ１４の幅方向の各側縁部には、固定縁部１０８と、位置決め部１１０とが備えられている。各固定縁部１０８がキャップ５６のチップ固定部８６、８８の保持部９６Ａ、９６Ｂの凹部１１１（図１３、図１４、図２１）に挿入されて保持され、チップ１４がキャップ５６に固定される。そこで、各固定縁部１０８は、チップ部材１０４の縁側を薄肉にした断面台形状である。
【００５１】
また、位置決め部１１０は、キャップ５６にある位置決め突部９８に係合させてチップ１４をキャップ５６の所定位置に位置決めする位置決め手段である。この実施の形態では、位置決め部１１０が固定縁部１０８からフラット面部１１４に切り込んだＵ字形の切り欠きによって構成されている。
【００５２】
そして、チップ部材１０４の表面には、フラット面部１１４に挟まれて凹凸面部１１６が形成され、この実施の形態では、図１６及び図１７に示すように、四角錐状の突部１１８が複数行、複数列に配列され、各突部１１８の各辺部にＶ字状の凹部１２０が形成されている。このような凹凸面部１１６を備えれば、チップ１４の表面積が横幅Ｗ3 ×縦幅Ｌ3 によって決定される面積より大きく設定され、この拡面化が外気と触れる面積を拡大化している。このため、フレグランス１０６の外気への発散が促進される。
【００５３】
〔フレグランスチップ収納部分、キャップの着脱及びフレグランスの含浸〕
【００５４】
フレグランスチップ収納部分の断面について、図１８、図１９、図２０、図２１、図２２、図２３及び図２４を参照する。図１８は、図２のXVIII −XVIII 線断面図、図１９は、図２のXIX −XIX 線断面図、図２０は、図１８のフレグランスチップ保持部分の拡大断面図、図２１は、図１９のフレグランスチップ保持部分の拡大断面図、図２２は、キャップの取り外しを示す図、図２３は、フレグランスの含浸例を示す図、図２４は、フレグランスの他の含浸例を示す図である。図１８ないし図２４に示す構成は一例であって、斯かる構成に本発明が限定されるものではない。
【００５５】
既述のチップ１４を備えるリアカバー４０は、図１８及び図１９に示すように、携帯電話機３２の筐体部３４側に設置される。リアカバー４０の収納部５４に設置されたキャップ５６には図２０及び図２１に示すように、チップ１４が保持されている。キャップ５６は、係合突部９０を係合固定部７０の凹部７８に挿入するとともに、係合突部９２を係合固定部７２の凹部７８に挿入することにより固定される。その際、収納部５４側の各係合突部９７は、キャップ５６側の係合凹部９５に挿入される。このような係合突部９０側では、係合突部９０と係合固定部７０の凹部７８、係合突部９７と係合凹部９５の複数の噛み合い係合によって固定される。また、係合突部９２側では、係合突部９２と係合固定部７２の凹部７８、係合突部９７と係合凹部９５の複数の噛み合い係合によって固定される。このような複数の係合を以て、キャップ５６は収納部５４に着脱可能であるとともに、強固に固定され、収納部５４の開口部を閉塞する。キャップ５６にはチップ１４が保持されているので、このチップ１４にフレグランス１０６が含浸されていれば、そのフレグランス１０６を発散孔５８から発散させ、芳香させることができる。
【００５６】
この実施の形態では、図２０及び図２１に示すように、収納部５４にキャップ５６を設置した際、キャップ５６にあるチップ１４と収納部５４の内壁面７６との間には空間部１０７が確保されている。この空間部１０７は、例えば、収納部５４を深く形成し、チップ１４と内壁面７６との間に余裕度を持たせて形成すればよい。この空間部１０７には空気が対流又は滞留し、この空気がチップ１４に十分に接触し、チップ１４からフレグランス１０６のアルコール揮発による芳香を促進させる。
【００５７】
また、収納部５４の背面部即ち、突部８０の背面側には、電池カバー６２を介して電池パック４２が設置されているので、電池パック４２の発熱をチップ１４に作用させることができる。即ち、収納部５４の背面に突出する突部８０は、電池カバー６２に密着させており、電池パック４２の熱が電池カバー６２を通して突部８０に至る。電池カバー６２が金属板であれば、熱伝導性が良く、電池パック４２の熱を効率良くチップ１４に作用させることができる。この結果、チップ１４が温められると、フレグランス１０６に含まれるアルコールの蒸発が促進され、この蒸発とともにフレグランス１０６の発散が促進される。
【００５８】
また、チップ１４にフレグランス１０６が含浸された状態であっても、筐体部３４側に浸透することはない。即ち、電池カバー６２の防水構造と、電池ケース６６のパッキン１０９（図１９）等によって筐体部３４側の防水構造とを備えているので、フレグランス１０６の浸透が抑制され、また、電池パック４２にフレグランス１０６が作用することもない。
【００５９】
フレグランス１０６の発散が終了した場合には、フレグランス１０６の補給又はチップ１４の交換等を行えばよい。携帯電話機３２からキャップ５６を取り外すには、図２２に示すように、間隙６０に指先やコインを挟み込み、リアカバー４０からキャップ５６を引き上げればよい。これにより、キャップ５６とともにチップ１４を取り外すことができる。
【００６０】
チップ１４はキャップ５６に保持されているので、使用済のフレグランス１０６と同一のフレグランス１０６を補給することができる。この場合、図２３に示すように、フレグランス１０６の容器１２２からチップ１４にフレグランス１０６を滴下して含浸してもよいし、図２４に示すように、スプレー容器１２３からフレグランス１０６を噴霧して含浸してもよい。
【００６１】
フレグランス１０６が補給されたチップ１４を備えたキャップ５６の取付けは、図２２に示すように、収納部５４の間隙６０と反対側の縁部にキャップ５６を挿入して当て、引き上げと反対方向に加圧すればよい。
【００６２】
〔携帯電話機３２の製造方法〕
【００６３】
携帯電話機の製造方法について、図２５を参照する。図２５は、携帯電話機の製造工程を示すフローチャートである。図２５に示す構成は一例であって、斯かる構成に本発明が限定されるものではない。
【００６４】
この製造方法の処理手順は、本開示の芳香発散装置の製造方法の一例である。この処理手順には、図２５に示すように、リアカバーの形成工程（ステップＳ１１）、キャップの形成工程（ステップＳ１２）、チップの形成工程（ステップＳ１３）、チップを取り付けたキャップの取付工程（ステップＳ１４）を含んでいる。
【００６５】
ａ）リアカバーの形成工程（ステップＳ１１）
【００６６】
フレグランス化する機器として例えば、携帯電話機３２の筐体部３４に合致するリアカバー４０を形成する（ステップＳ１１）。このリアカバー４０には、既述の収納部５４を形成する。このような収納部５４を備えるリアカバー４０は、耐水性を持つとともに、既述の形状にフレグランス１０６に耐性（耐香水性）を持つ合成樹脂や金属板で成形加工すればよい。耐水性は、リアカバー４０を水で洗浄する際に有効である。
【００６７】
リアカバー４０には、耐食性のある結晶性ナイロンやＰＰ（ポリプロピレン）を採用すれば、フレグランス１０６に含有するアルコールによる影響を回避できる。
【００６８】
ｂ）キャップの形成工程（ステップＳ１２）
【００６９】
キャップ５６は、リアカバー４０の収納部５４の閉塞手段であるとともに、チップ１４の固定ないし保持手段であるから、その構造は既述の通りである。そこで、斯かる構造を備えたキャップ５６をリアカバー４０と同様に、耐水性を有するとともに、フレグランス１０６に耐性を持つ合成樹脂や金属板で成形加工すればよい。耐水性は、キャップ５６を水で洗浄する際に有効である。
【００７０】
キャップ５６にも耐食性のある結晶性ナイロンやＰＰ（ポリプロピレン）を採用すれば、フレグランス１０６に含有するアルコールによる影響を回避できる。
【００７１】
ｃ）チップの形成工程（ステップＳ１３）
【００７２】
チップ１４は、フレグランス１０６の含浸手段であるから、フレグランス１０６に対する耐性を備えるとともに、フレグランス１０６を保持する機能を備えることが必要である。そこで、チップ部材１０４には多孔質材料として例えば、多孔質セラミックを用いればよい。多孔質セラミックとして例えば、ジルコニアを用いればよい。
【００７３】
ｄ）チップを取り付けたキャップの取付工程（ステップＳ１４）
【００７４】
キャップ５６は既述の構造を備えているので、チップ１４を容易に取り付けることができる。このチップ１４を備えたキャップ５６は、リアカバー４０の収納部５４に取り付け、そのリアカバー４０を携帯電話機３２の筐体部３４に設置すればよい。これにより、フレグランス１０６を発散させることができる携帯電話機３２が得られる。
【００７５】
〔リアカバー４０、キャップ５６又はフレグランスチップ１４、フレグランス１０６の交換〕
【００７６】
フレグランスチップの交換について、図２６、図２７及び図２８を参照する。図２６は、リアカバーの交換を示す図、図２７は、チップの洗浄を示す図、図２８は、キャップ上のチップの洗浄を示す図である。図２６ないし図２８に示す構成は一例であって、斯かる構成に本発明が限定されるものではない。
【００７７】
この携帯電話機３２では、チップ１４を搭載したリアカバー４０に対し、チップ１４を搭載しないリアカバー４００を用意する。リアカバー４００は従前のカバー部材であって、リアカバー４０が収納部５４やキャップ５６を備える点を除き、その他の構成はリアカバー４０と同一である。斯かる構成とすれば、携帯電話機３２に対し、リアカバー４０とリアカバー４００とをユーザの好みやシチュエーションに応じて交換し、両者を選択的に用いることができる。
【００７８】
この携帯電話機３２において、フレグランス１０６の異なるリアカバー４０の交換、フレグランス１０６の異なるキャップ５６の交換、フレグランス１０６の異なるチップ１４の交換の何れかにより、異なる芳香を選択することができる。
【００７９】
また、図２７に示すように、チップ１４を水道水１２４等で洗浄すれば、図２３又は図２４に示すように、そのチップ１４に異なる芳香のフレグランス１０６を含浸させることができる。また、チップ１４は、図２８に示すように、キャップ５６にチップ１４を保持させた状態で水道水１２４等で洗浄してもよい。チップ１４の洗浄には、専用水を用いてもよい。
【００８０】
上記した第２の実施の形態について、特徴事項、利点又は変形例等を列挙する。
【００８１】
(1) フレグランス機能を備えた携帯電話機３２等の携帯機器を実現できる。
【００８２】
(2) チップ１４にフレグランス（例えば、香水）を振り掛けることにより、好みの香りを携帯機器に付与することができる。
【００８３】
(3) チップ１４にフレグランス１０６を含浸させるので、専用の芳香剤もしくは芳香剤を専用のアタッチメントに装填する必要がなく、香りの交換を制約なく行うことができる。香り交換の際、交換以前の香りを洗浄によって容易に除去することができ、機器の信頼性を低下させることもない。
【００８４】
(4) 電池カバー６２に耐水性、耐香水（アルコール）性の材料を選択すれば、筐体部３４の防水構造と相俟って筐体部３４内にフレグランス１０６が浸透するのを防止できる。
【００８５】
(5) フレグランス１０６の成分を長時間保持できる多孔質セラミック等の多孔質のチップ材料を配置すれば、フレグランス１０６のふりかけ等により、フレグランス１０６をチップ１４に含浸させ、その香りを維持することができる。
【００８６】
(6) フレグランス１０６には市販品を利用でき、ユーザの好みの香りを容易に選択し、実現することができる。
【００８７】
(7) チップ１４はキャップ５６の裏側に配置しているので、キャップ５６を開けるだけで容易に取り外しができる。チップ１４には取り外した状態でフレグランス１０６をふりかけるため、香水を機器側に誤って付着させるという不都合はない。
【００８８】
(8) フレグランス１０６を含浸したチップ１４を包囲する素材の耐腐食性については、ＡＢＳ樹脂を用いることができるが、より耐食性の高い結晶性ナイロンやＰＰ等の材料を採用すれば、香水やアルコールの影響を回避できる。
【００８９】
(9) キャップ５６には発散孔（芳香穴）５８が設けられているので、発散孔５８からフレグランス１０６を芳香させることができ、充分なフレグランス効果を発揮させることができる。
【００９０】
(10)  チップ１４が電池パック４２上に配置されているので、電池パック４２の発熱をチップ１４に作用させ、フレグランス１０６の揮発をより促進させることができる。発熱部品としては電池パック４２以外のＬＣＤ（Liquid Crystal Display）表示器等の発熱する部品であってもよい。
【００９１】
(11)  既述の携帯電話機３２では、筐体部３４に防水性能を備えているが、このような防水機能を備える携帯機器では、その防水エリア外にチップ１４を設置すれば、その防水効果によってフレグランス１０６が機器内に浸透することを防止できる。即ち、機器の機能やその信頼性を低下させることがない。
【００９２】
〔第３の実施の形態〕
【００９３】
第３の実施の形態は、リアカバー４０の面内にキャップ５６を配置した第２の実施の形態に対し、リアカバー４０の面外にキャップ５６を突出させた形態である。
【００９４】
この第３の実施の形態について、図２９、図３０及び図３１を参照する。図２９は、第３の実施の形態に係る背面側から見た携帯電話機を示す図、図３０は、図２９のXXX −XXX 線断面図、図３１は、図２９のXXXI−XXXI線断面図である。図２９ないし図３１に示す構成は一例であって、斯かる構成に本発明が限定されるものではない。
【００９５】
この携帯電話機３３では、図２９に示すように、キャップ５６がリアカバー４０の面外に突出している。斯かる構成では、図３０及び図３１に示すように、キャップ５６がリアカバー４０の面外に突出するが、リアカバー４０を筐体部３４に密着させて配置することができる。このため、筐体部３４側を第２の実施の形態と同様に構成しながら、携帯電話機３３のリアカバー４０を含む筐体部３４側の薄型化を図ることができる。
【００９６】
このように、キャップ５６を突出させれば、リアカバー４０からキャップ５６とともにチップ１４の着脱が容易になる。また、キャップ５６の周囲縁部の肉厚をテーパ状等により薄くすれば、リアカバー４０からキャップ５６が極端に突出することもない。
【００９７】
〔他の実施の形態〕
【００９８】
(1) 第２の実施の形態では、収納部５４の内壁面７６をフラット面で形成したが、収納部５４には、図３２に示すように、内壁面７６と同等の高さを持つ壁部１３０とともに凹部１３２、１３４を形成してもよい。このような壁部１３０を備えたことにより、収納部５４の強度を低下させることなく、凹部１３２、１３４によって空間部１０７を確保することができる。このような凹部１３２、１３４による空間部１０７は、チップ１４に接触する空気を豊富にし、チップ１４から芳香の発散を誘発し、その促進に寄与することができる。
【００９９】
(2) また、収納部５４には、既述の壁部１３０や凹部１３２、１３４（図３２）に代え、図３３に示すように、リブ１３６、１３８を形成し、これらリブ１３６、１３８によって凹部１４０、１４２、１４４を形成し、既述の空間部１０７を確保するようにしてもよい。リブ１３６、１３８は、収納部５４を補強する補強壁であるとともに、空間部１０７を確保するための手段の一例である。このような構成によっても、上記(1) で述べたと同等の効果が得られる。
【０１００】
(3) 上記実施の形態では、チップ１４を内蔵した機器４（図１）や、チップ１４を備える携帯電話機３２（図２ないし図２８）、携帯電話機３３（図２９、図３０、図３１）について例示した。本開示の芳香発散装置は、既述の実施の形態に限定されるものではない。このようなチップ１４を内蔵した機器としては、パーソナルコンピュータ（ＰＣ）２００（図３４、図３５）や、携帯情報端末機（ＰＤＡ：Personal Digital Assistant）３００（図３６）、ディジタルカメラ、電子ゲーム機器等の電子機器であってもよい。
【０１０１】
(4) ＰＣ２００は、図３４に示すように、キーボード側筐体部２０２と、表示側筐体部２０４とを備え、これら筐体部２０２、２０４は、ヒンジ部２０６によって連結され、開閉可能である。表示側筐体部２０４にはリアカバー４０が固定又は着脱可能に設置されている。このリアカバー４０には、既述の収納部５４及びキャップ５６が備えられている。キャップ５６には、フレグランス１０６を含浸させたチップ１４が保持されている。斯かる構成とすれば、ＰＣ２００からフレグランス１０６の持つ芳香を発散させることができる。
【０１０２】
このＰＣ２００のリアカバー４０が、図３５に示すように、着脱可能であれば、リアカバー４０の交換、キャップ５６の交換、チップ１４の交換又はフレグランス１０６の交換により、フレグランス１０６を選択し、芳香させることができる。
【０１０３】
(5) ＰＤＡ３００は、図３６に示すように、筐体部３０２の背面部にリアカバー４０が着脱可能に設置されている。このリアカバー４０には、既述の収納部５４及びキャップ５６が備えられている。キャップ５６には、フレグランス１０６を含浸させたチップ１４が保持されている。斯かる構成とすれば、ＰＤＡ３００からフレグランス１０６の持つ芳香を発散させることができる。
【０１０４】
このＰＤＡ３００においても、リアカバー４０の交換、キャップ５６の交換、チップ１４の交換又はフレグランス１０６の交換により、フレグランス１０６を選択し、芳香させることができる。
【０１０５】
(6) ゲーム機器にあっては、フレグランスの芳香や、その交換によって、ゲームを脚色するといった付随的な演出も可能である。
【０１０６】
(7) 携行される携帯機器として、携帯電話機等を例示したが、本開示の芳香発散装置は、携帯機器に限定されるものではなく、インターフォン、リモコン端末等に適用してもよい。
【０１０７】
(8) 上記実施の形態では芳香性チップとしてフレグランスチップ１４を例示したが、消臭剤チップであってもよい。
【０１０８】
次に、以上述べた実施例を含む実施の形態に関し、更に以下の付記を開示する。以下の付記に本発明が限定されるものではない。
【０１０９】
（付記１）  少なくとも芳香性チップが収納される収納部を備えた筐体と、
前記筐体に着脱可能に取り付けられ、前記収納部を閉じる蓋部と、
を備え、
前記蓋部に前記芳香性チップが備えられたことを特徴とする、芳香発散装置。
【０１１０】
（付記２）  前記筐体は、カバー部材を有し、前記カバー部材に蓋部が着脱可能に取り付けられていることを特徴とする、付記１に記載の芳香発散装置。
【０１１１】
（付記３）  更に、前記蓋部に設けられ、前記芳香性チップを着脱可能に保持させる保持部と、
を備えることを特徴とする、付記１に記載の芳香発散装置。
【０１１２】
（付記４）  前記蓋部と前記芳香性チップとの間に空間部を備えることを特徴とする、付記１に記載の芳香発散装置。
【０１１３】
（付記５）  前記カバー部材は、前記筐体の防水構造部材の外側に設置されたことを特徴とする、付記２に記載の芳香発散装置。
【０１１４】
（付記６）  芳香性チップを収納する前記収納部は、前記筐体に内蔵された発熱性部材の近傍に配置されていることを特徴とする、付記１に記載の芳香発散装置。
【０１１５】
（付記７）  前記芳香性チップは、チップ本体と、このチップ本体に含浸させた芳香剤又は消臭剤とを含むことを特徴とする、付記１に記載の芳香発散装置。
【０１１６】
（付記８）  前記蓋部は、芳香を発散させる単一又は複数の発散孔を備えることを特徴とする、付記１に記載の芳香発散装置。
【０１１７】
（付記９）  前記蓋部は、前記筐体の前記収納部に係合する係合部を備え、該係合部により着脱可能に取り付けられることを特徴とする、付記１に記載の芳香発散装置。
【０１１８】
（付記１０）  前記蓋部の外縁部と、前記収納部の内縁部との間に凹部を備えたことを特徴とする、付記１に記載の芳香発散装置。間隙６０（図３）は、その一例である。
【０１１９】
以上説明したように、芳香発散装置の実施の形態について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１２０】
本開示の芳香発散装置は、芳香による演出に利用でき、携帯電話機等の携帯機器の他、固定機器に広く利用され、有用である。
【符号の説明】
【０１２１】
２  芳香発散ユニット
４  機器
６  筐体
８  カバー部材
９  機器本体
１４  フレグランスチップ
１６  蓋部
１８  保持部
２０  発散孔
３２  携帯電話機
３４、３６  筐体部
４０  リアカバー
４２  電池パック
５４  フレグランス収納部
５６  フレグランスキャップ
５８  発散孔
６０  間隙
６２  電池カバー
９６Ａ、９６Ｂ  保持部
１０４  チップ部材
１０６  フレグランス
１０７  空間部
【図１】
0005595698.tif 000002
【図２】
0005595698.tif 000003
【図３】
0005595698.tif 000004
【図４】
0005595698.tif 000005
【図５】
0005595698.tif 000006
【図６】
0005595698.tif 000007
【図７】
0005595698.tif 000008
【図８】
0005595698.tif 000009
【図９】
0005595698.tif 000010
【図１０】
0005595698.tif 000011
【図１１】
0005595698.tif 000012
【図１２】
0005595698.tif 000013
【図１３】
0005595698.tif 000014
【図１４】
0005595698.tif 000015
【図１５】
0005595698.tif 000016
【図１６】
0005595698.tif 000017
【図１７】
0005595698.tif 000018
【図１８】
0005595698.tif 000019
【図１９】
0005595698.tif 000020
【図２０】
0005595698.tif 000021
【図２１】
0005595698.tif 000022
【図２２】
0005595698.tif 000023
【図２３】
0005595698.tif 000024
【図２４】
0005595698.tif 000025
【図２５】
0005595698.tif 000026
【図２６】
0005595698.tif 000027
【図２７】
0005595698.tif 000028
【図２８】
0005595698.tif 000029
【図２９】
0005595698.tif 000030
【図３０】
0005595698.tif 000031
【図３１】
0005595698.tif 000032
【図３２】
0005595698.tif 000033
【図３３】
0005595698.tif 000034
【図３４】
0005595698.tif 000035
【図３５】
0005595698.tif 000036
【図３６】
0005595698.tif 000037